(57)【特許請求の範囲】
【請求項１】
正極及び負極の電極端子が設けられた電極面を有する蓄電素子を複数並べてなる蓄電素子群に取り付けられる配線モジュールであって、
前記電極端子間を電気的に接続する複数のバスバーと、
前記複数のバスバーを保持する１又は複数の保持部を有し、前記蓄電素子の並び方向の公差を吸収する公差吸収部が設けられた樹脂プロテクタと、
前記樹脂プロテクタに取り付けられて前記保持部を一括に覆うカバーと、を備えたものにおいて、
前記樹脂プロテクタには、前記カバーを係止する係止部が前記電極端子の突出方向と同一方向に突出するとともに前記並び方向に沿って設けられている一方、
前記カバーには、前記係止部に係止される被係止部が設けられており、
前記係止部と前記被係止部とは、前記カバーのうち前記並び方向に延びる縁部において、前記並び方向に沿って相対的に移動可能に係止されている、配線モジュール。
【請求項２】
前記係止部は、前記並び方向に延びる一対の縁部のうち一方側に設けられる第１係止部と、他方側に設けられる第２係止部と、を含み、前記第１係止部および前記第２係止部は、前記電極端子の突出方向と同一方向に立ち上がる複数の係止爪である請求項１に記載の配線モジュール。
【請求項３】
前記被係止部は前記並び方向に沿って連続的に延びている請求項１または請求項２に記載の配線モジュール。
【請求項４】
前記樹脂プロテクタおよび前記カバーの前記並び方向における一端側に、前記樹脂プロテクタに対して前記カバーを固定する固定部が設けられている請求項１ないし請求項３のいずれか一項に記載の配線モジュール。
【請求項５】
前記蓄電素子は前記電極面を上方に向けて並べられており、
前記カバーは前記保持部を覆った状態で前記保持部側に窪んで前記並び方向に延びる凹部を備えており、
前記凹部の前記並び方向における両端部の少なくとも一部に前記蓄電素子群の側方に向けて開口する開口部が設けられている請求項１ないし請求項４のいずれか一項に記載の配線モジュール。
【請求項６】
前記開口部から下方に垂れ下がる下垂部が設けられるとともに、前記下垂部の両側縁に外側に向けて立ち上がる導出リブが設けられている請求項５に記載の配線モジュール。
【請求項７】
前記カバーの前記並び方向における長さは、前記樹脂プロテクタの前記並び方向における最大長さよりも長く設定されており、前記カバーの前記並び方向における両端部は、前記樹脂プロテクタの前記並び方向における両端部から離れた位置に配されている、請求項１ないし請求項６のいずれか一項に記載の配線モジュール。
【請求項８】
前記蓄電素子群と、
前記蓄電素子群に取り付けられる請求項１ないし請求項７のいずれか一項に記載の配線モジュールと、を備える蓄電モジュール。
【発明の詳細な説明】
【技術分野】
【０００１】
本明細書に開示される技術は、配線モジュールおよび蓄電モジュールに関する。
【背景技術】
【０００２】
電気自動車やハイブリッド車用の電池モジュールにおいては、正極および負極の電極端子が設けられた電極面を有する複数の単電池が並んで配置されている。このような電池モジュールにおいては、隣り合う正極の電極端子（正極端子）および負極の電極端子（負極端子）が導電性の接続部材（バスバー）によって接続されることにより、複数の単電池が電気的に接続されるようになっている。
【０００３】
複数の単電池を接続するために、例えば絶縁性の保持部材（樹脂プロテクタ）に複数のバスバーを一括に保持した配線モジュールが用いられる。この種の配線モジュールとして、単電池群に組み付けて隣り合う電極端子同士を電気的に接続した後、電極端子やバスバー等を他の部品や工具等から絶縁することや、電線のはみ出しを防止すること等を目的として、絶縁性のカバーで覆われているものがある（特開２０１３−３７９８６号公報）。カバーは、例えば樹脂プロテクタ側に設けた係止部とカバー側に設けた被係止部とを係止することにより、樹脂プロテクタに対して固定される。このような係止構造は、配線モジュールの側面（電極面と交差する面）に設けられている。
【０００４】
ところで、単電池や樹脂プロテクタの寸法公差や組み付け公差等に起因して電極端子とバスバーとの組み付けに不具合が生じないようにするために、樹脂プロテクタを、電極端子の接続方向において伸縮可能とする技術が提案されている。
【０００５】
そしてこのように樹脂プロテクタが伸縮可能とされてその長さ寸法が変化する場合には、樹脂プロテクタの係止部の位置が変化するため、カバー側にもその係止位置の変化に対応可能とする構成が求められる。例えば、カバーを複数に分割したり、係止構造に係止位置を調整する手段を設ける必要がある。
【先行技術文献】
【特許文献】
【０００６】
【特許文献１】特開２０１３−３７９８６号公報
【発明の概要】
【発明が解決しようとする課題】
【０００７】
樹脂プロテクタを一括に覆う形態のカバーでは、上述したように、係止位置を調整可能な係止構造を設ける必要がある。しかし、このように係止位置が変化する場合には、配線モジュールの側面に配された係止部と被係止部との係止状態を手探りで確認するだけでは不十分であり、係止が確実になされているかどうかを視認するためにいちいち電池モジュールを傾けたり、視点を動かす必要があった。
【０００８】
本明細書に開示される技術は上記のような事情に基づいて完成されたものであって、カバーの樹脂プロテクタに対する係止状態が容易に視認可能な配線モジュールおよび蓄電モジュールを提供することを目的とする。
【課題を解決するための手段】
【０００９】
本明細書に開示される技術は、正極及び負極の電極端子が設けられた電極面を有する蓄電素子を複数並べてなる蓄電素子群に取り付けられる配線モジュールであって、前記電極端子間を電気的に接続する複数のバスバーと、前記複数のバスバーを保持する１又は複数の保持部を有し、前記蓄電素子の並び方向の公差を吸収する公差吸収部が設けられた樹脂プロテクタと、前記樹脂プロテクタに取り付けられて前記保持部を一括に覆うカバーと、を備えたものにおいて、  前記樹脂プロテクタには、前記カバーを係止する係止部が前記電極端子の突出方向と同一方向に突出するとともに前記並び方向に沿って設けられている一方、  前記カバーには、前記係止部に係止される被係止部が設けられており、前記係止部と前記被係止部とは、前記カバーのうち前記並び方向に延びる縁部において、前記並び方向に沿って相対的に移動可能に係止されている。
【００１０】
このような配線モジュールによれば、樹脂プロテクタの係止部は電極端子の突出方向と同一方向に突出して設けられ、カバーの被係止部と係止しているから、カバーの樹脂プロテクタに対する係止状態を蓄電素子群のうち配線モジュールが装着されている方向から容易に視認することができる。しかも被係止部は、カバーのうち蓄電素子の並び方向に延びる縁部に設けられているから、カバーのうち縁部より内側の領域に係止用の孔を設ける必要がなく、樹脂プロテクタに異物が混入することを抑制することができる。
【００１１】
配線モジュールは、以下の構成を備えていてもよい。
【００１２】
係止部は、蓄電素子の並び方向に延びる一対の縁部のうち一方側に設けられる第１係止部と、他方側に設けられる第２係止部と、を含み、第１係止部および第２係止部は、電極端子の突出方向と同一方向に立ち上がる複数の係止爪であってもよい。このような構成によれば、簡易な構成で樹脂プロテクタに係止部を設けることができる。
【００１３】
被係止部は蓄電素子の並び方向に沿って連続的に延びていてもよい。このような構成とすることにより、カバーの縁部のどの位置にでも係止部を係止することができる。
【００１４】
樹脂プロテクタおよびカバーのうち、蓄電素子の並び方向における一端側に、樹脂プロテクタに対してカバーを固定する固定部を設けてもよい。このような構成とすることにより、カバーを樹脂プロテクタに対して蓄電素子の並び方向に移動可能（公差吸収可能）としながら、樹脂プロテクタから外れないように一部を固定することができる。
【００１５】
蓄電素子は電極面を上方に向けて並べられており、カバーは保持部を覆った状態で保持部側に窪んで蓄電素子の並び方向に延びる凹部を備えており、凹部のうち蓄電素子の並び方向における両端部の少なくとも一部に、蓄電素子群の側方に向けて開口する開口部が設けられている構成としてもよい。
【００１６】
このような構成によれば、カバーの上面に水分が付いた場合に、水分は凹部内に溜まるから、カバーの側縁から樹脂プロテクタの内部や蓄電素子の電極面に水分が流れ落ちることを抑制することができる。また、凹部に溜まった水分は、開口部から蓄電素子の側方（電極面にかからない部分）に排出することができる。
【００１７】
また、開口部から下方に垂れ下がる下垂部が設けられるとともに、下垂部の両側縁に外側に向けて立ち上がる導出リブが設けられている構成としてもよい。このようにすると、開口部から排出された水分は下垂部および導出リブを伝って下方に流れ落ちるから、カバーの裏側に回り込んで樹脂プロテクタの内部に浸入することを抑制することができる。
【００１８】
さらに、蓄電素子の並び方向におけるカバーの長さは、蓄電素子の並び方向における樹脂プロテクタの最大長さよりも長く設定されており、カバーのうち蓄電素子の並び方向における両端部は、樹脂プロテクタのうち蓄電素子の並び方向における両端部から離れた位置に配されている構成としてもよい。
【００１９】
このような構成によれば、カバーの両端部から流れ落ちる水分が樹脂プロテクタの内部に浸入することをより確実に抑制することができる。
【００２０】
また本明細書に開示される技術は、蓄電素子群と、この蓄電素子群に取り付けられる上述した配線モジュールと、を備える蓄電モジュールである。
【発明の効果】
【００２１】
本明細書に開示される配線モジュールおよび蓄電モジュールによれば、カバーの樹脂プロテクタに対する係止状態を容易に視認することができる。
【図面の簡単な説明】
【００２２】
【図１】一実施形態の電池モジュールの斜視図
【図２】図１の部分拡大斜視図
【図３】同じく電池モジュールの斜視図
【図４】図３の部分拡大斜視図
【図５】電池モジュールの平面図
【図６】図５のＡ−Ａ断面図
【図７】図５のＢ−Ｂ断面図（蓄電素子が最小公差で並べられた状態）
【図８】図５のＢ−Ｂ断面において、蓄電素子が最大公差で並べられた状態を示す断面図
【図９】図５のＣ−Ｃ断面図
【図１０】カバーの平面図
【図１１】カバーの正面図
【図１２】カバーの左側面図
【図１３】カバーの右側面図
【発明を実施するための形態】
【００２３】
一実施形態を、図１ないし図１３を参照しつつ説明する。
【００２４】
本実施形態に係る電池モジュール１０（蓄電モジュールの一例）は、電気自動車又はハイブリッド自動車等の車両（図示せず）に搭載されて、車両を駆動するための電源として使用される。電池モジュール１０は、正極および負極の電極端子１３を備えた複数の単電池１２（蓄電素子の一例）が並べて配された単電池群１１（蓄電素子群の一例）を有する。複数の電極端子１３間は、配線モジュール２０によって電気的に接続されている（図１および図３参照）。
【００２５】
なお、以下の説明においては、図１ないし図４の上側を上方、下側を下方とする。また、図５の左側を左または側方、右側を右または側方とする。また、複数の同一部材については、一の部材に符号を付し、他の部材については符号を省略することがある。
【００２６】
（単電池１２）
単電池１２は扁平な略直方体形状をなしている。単電池１２の内部には図示しない発電要素が収容されている。単電池１２の上面には、長手方向の両端部寄りの位置に、一対の電極端子１３，１３が上方（図１のＹ方向）に突出して形成されている。単電池１２の上面は電極面１２Ａとされる。電極端子１３の一方は正極端子であり、他方は負極端子である。正極端子を構成する電極端子１３と、負極端子を構成する電極端子１３とは同形、同大である。電極端子１３は、金属製の端子台１４から上方に向かって丸棒状に突出する電極ポスト１５を備え、その電極ポスト１５の外面にはねじ山（図示せず）が形成されている。単電池１２は、隣り合う電極端子１３が異なる極性となるように配置されている。複数の単電池１２は図５中左右方向（図５のＸ方向）に並べられて単電池群１１を構成している。
【００２７】
（配線モジュール２０）
配線モジュール２０は、単電池１２の正極および負極の電極端子１３の電極ポスト１５にそれぞれ挿通されて接続される一対の端子貫通孔２２，２２を有する金属製の複数のバスバー２１（図６および図７参照）と、バスバー２１を保持するバスバー保持部３２を有する合成樹脂製の樹脂プロテクタ３０と、バスバー２１に重ねて電気的に接続される電圧検知端子（図示せず）と、電圧検知端子に接続される検知電線（図示せず）と、樹脂プロテクタ３０の開放面（上面）を覆うカバー７０と、を備える。
【００２８】
（バスバー２１）
バスバー２１は、銅、銅合金、ステンレス鋼（ＳＵＳ）、アルミニウム等からなる金属製の板材を２枚折りにして所定の形状にプレス加工することにより形成され、全体として略長方形状をなしている。バスバー２１の表面には、スズ、ニッケル等の金属がメッキされていてもよい。バスバー２１には、電極端子１３の電極ポスト１５が挿通される円形状をなす一対の端子貫通孔２２，２２が、バスバー２１を貫通して形成されている。この端子貫通孔２２は、電極ポスト１５の径よりも若干大きく設定されている。端子貫通孔２２内に電極ポスト１５が貫通された状態でナット（図示せず）が螺合されて、ナットと端子台１４との間にバスバー２１が挟まれることにより、電極端子１３とバスバー２１とが電気的に接続される。
【００２９】
（樹脂プロテクタ３０）
樹脂プロテクタ３０は連結ユニット３１を複数個連結してなり、図１および図３に示すように、単電池１２の並び方向に細長い形状をなしている。樹脂プロテクタ３０は、上下方向に開口してバスバー２１を収容し保持する複数のバスバー保持部３２と、バスバー２１に重ねて設けられる電圧検知端子（図示せず）に接続される検知電線（図示せず）を収容するための電線収容溝４１とが、樹脂プロテクタ３０の長手方向に沿って並んで設けられている（図６参照）。
【００３０】
バスバー保持部３２は、バスバー２１をその内側に保持して隣り合うバスバー２１と絶縁状態に保持する保持壁３３が上方に立ち上がって、バスバー２１が収容可能な大きさに形成されている（図６および図７参照）。この保持壁３３は、隣接する電極端子１３の保護壁としても機能する。バスバー保持部３２の底部には、バスバー２１の周縁部および長手方向における中央部が載置される載置部３４が設けられている。
【００３１】
以下、保持壁３３のうち電線収容溝４１側に位置する壁部を溝側壁部３３Ａ、電線収容溝の反対側に位置する壁部を外側壁部３３Ｂ、隣り合うバスバー保持部３２の間に位置する壁部を隔壁３３Ｃとする。
【００３２】
保持壁３３のうち溝側壁部３３Ａは、その一部が切り欠かれて電圧検知端子の電線接続部を保持するバレル保持溝（図示せず）に連なっており、バスバー保持部３２から検知電線を電線収容溝４１側に導出可能としている。
【００３３】
また、溝側壁部３３Ａおよび外側壁部３３Ｂには、上方側からバスバー２１を係止してバスバー２１の上方側への抜け止めを図るための一対の抜止片３５が、各壁部３３Ａ，３３Ｂを切り出して設けられている。
【００３４】
一方、電線収容溝４１は、一対の溝壁部４２Ａ，４２Ｂおよび底部４２Ｃを有して、バスバー保持部３２の並び方向に沿って設けられている。
【００３５】
一対の溝壁部４２Ａ，４２Ｂのうちバスバー保持部３２側の保持部側溝壁４２Ａはその一部が切り欠かれており、上述したバレル保持溝（図示せず）と連なって、バスバー保持部３２側から検知電線を電線収容溝４１内に導入可能としている。
【００３６】
（連結ユニット３１）
樹脂プロテクタ３０は、一のバスバー保持部３２毎に分割された複数の連結ユニット３１を連結することにより構成されている。
【００３７】
図５に示すように、一の連結ユニット３１の外側壁部３３Ｂのうち、樹脂プロテクタ３０の延び方向における一端側（図５の右側）は、内側が切り欠かれることにより肉薄とされた保持部側第１連結部３６とされている。また、他端側は外側が切り欠かれることにより肉薄とされた保持部側第２連結部３７とされているとともに、保持部側第２連結部３７の上端には、外側に張り出すとともに下方に向けてＬ字形状に屈曲された係合片３８が設けられている（図６参照）。一の連結ユニット３１の保持部側第１連結部３６の内側に、隣接する連結ユニット３１の保持部側第２連結部３７が重ね合わされるとともに、保持部側第２連結部３７に設けられた係合片３８が上方および外側から保持部側第１連結部３６に係合して保持部側第２連結部３７とともに保持部側第１連結部３６を挟持することにより、隣り合う連結ユニット３１同士が連結される。
【００３８】
なおこの時、係合片３８は保持部側第１連結部３６に対して樹脂プロテクタ３０の延び方向において移動可能に係合する。換言すると、樹脂プロテクタ３０はその延び方向において公差吸収可能とされている。
【００３９】
また、一対の溝壁部４２Ａ，４２Ｂのうちバスバー保持部３２とは反対側の外側溝壁４２Ｂは、その一端側（図５の右側）が外側に向けてクランク状に屈曲されており、外側に張り出した部分が溝部側第１連結部４６とされるとともに、他端側が溝部側第２連結部４７とされている。一の連結ユニット３１の溝部側第１連結部４６の内側に隣接する連結ユニット３１の溝部側第２連結部４７が嵌まり込むことにより、隣り合う連結ユニット３１同士が連結された状態となる（図２参照）。
【００４０】
なお、溝部側第２連結部４７は溝部側第１連結部４６内において、樹脂プロテクタ３０の延び方向に移動可能とされている。換言すると、樹脂プロテクタ３０はその延び方向において、公差吸収可能とされている。
【００４１】
さらに、各連結ユニット３１の外側壁部３３Ｂの上端縁には第１カバー係止部３９が立設されるとともに、外側溝壁４２Ｂの上端縁には第２カバー係止部４９が立設されている。これら第１カバー係止部３９および第２カバー係止部４９は、外側壁部３３Ｂおよび外側溝壁４２Ｂの上端縁から上方（図１のＹ方向、電極端子１３の突出方向と同一方向）に向けて立ち上がるように突出するとともに、その先端に、樹脂プロテクタ３０の内側に向けて突出する係止爪３９Ａ，４９Ａを備えてなる。係止爪３９Ａ，４９Ａは、下端が段差状に突出し、上方側が外側に向けて傾斜状に突出寸法が小さくなる形状をなす。この第１カバー係止部３９および第２カバー係止部４９の各係止爪３９Ａ，４９Ａが後述するカバー７０の上面の被係止リブ８１に係止することにより、バスバー保持部３２および電線収容溝４１をカバー７０により閉塞可能としている。
【００４２】
（端部連結ユニット５１，６１）
複数の連結ユニット３１が連結された樹脂プロテクタ３０の両端部には、固定側端部連結ユニット５１および自由側端部連結ユニット６１が連結されている。
【００４３】
固定側端部連結ユニット５１は、例えば図１および図２の左端に連結された連結ユニットであって、その樹脂プロテクタ３０の延び方向における一端側（内側に配された連結ユニット３１と連結される側、図１および図２の右側）は上述した連結ユニット３１の第１連結部３６，４６と同形状をなして隣接する連結ユニット３１と連結可能とされている。また他端側（図１および図２の左側）は、上述した連結ユニット３１より長尺に延びて、その端部に後述するカバー７０を固定するカバー固定部５２を備えてなる。カバー固定部５２は、配線モジュール２０が単電池群１１に組み付けられた状態において、単電池群１１の上面より外側に張り出す位置に設けられている（図５参照）。
【００４４】
固定側端部連結ユニット５１の上述した他端側の端部（図１および図２の左側の端部）は、図９に示すように、樹脂プロテクタ３０の幅方向における両端部において隔壁３３Ｃの下端縁から樹脂プロテクタ３０の延び方向に沿って水平方向に延出された一対の底壁５３と、底壁５３から上方に向けてＬ字形状に立ち上がった支持壁５４とを備えている。支持壁５４は、樹脂プロテクタ３０の幅方向の全域にわたって設けられている。支持壁５４は、バスバー保持部３２の隔壁３３Ｃと同等高さとされている。なお、固定側端部連結ユニット５１の外側壁部３３Ｂおよび外側溝壁４２Ｂは、支持壁５４と一体に連なる位置まで延出されている。
【００４５】
支持壁５４のうち、一対の底壁５３の間に設けられた領域の上端には、図７に示すように、バスバー保持部３２側に向けて斜め下方に延びる弾性係止片５５が設けられている。後述するカバー７０が樹脂プロテクタ３０に取り付けられる際には、カバー７０の固定片７７の係止爪７７Ａが弾性係止片５５とバスバー保持部３２の隔壁３３Ｃとの間に挿入され、弾性係止片５５の下端縁に係止することにより、カバー７０の一端側が樹脂プロテクタ３０に対して固定されるようになっている。
【００４６】
一方、自由側端部連結ユニット６１は、例えば図３および図４の右端に連結された連結ユニットであって、樹脂プロテクタ３０の延び方向における一端側（内側に配された連結ユニット３１と連結される側、図３および図４の左側）は上述した連結ユニット３１の第２連結部３７，４７と同形状をなして隣接する連結ユニット３１と連結可能とされている。また他端側（図３および図４の右側）は、上述した連結ユニット３１に設けられた第１連結部３６，４６を備えていない構成とされている。
【００４７】
また、上述した連結ユニット３１において外側壁部３３Ｂに設けられた第１カバー係止部３９および外側溝壁４２Ｂに設けられた第２カバー係止部４９の位置が相違しており、自由側端部連結ユニット６１では、第１カバー係止部３９および第２カバー係止部４９は、上述した他端側（図３および図４の右側）の端部付近に設けられている。
【００４８】
（カバー７０）
上述した樹脂プロテクタ３０のバスバー保持部３２および電線収容溝４１は、カバー７０により覆われる。
【００４９】
図１０および図１１に示すように、カバー７０は長尺の板状部材であって、樹脂プロテクタ３０を一括して被覆する。カバー７０は略長方形の板状の本体部７１を備えており、その長手方向の一端側（図１０の左側、固定側端部側）に、その幅方向における両端部から長手方向に沿って張り出す一対の張出部７４が設けられている。すなわち、カバー７０の一端側は、平面視略コ字形状とされている。この張出部７４の先端側には、下方に向けて垂れ下がる下垂部７５が設けられている（図１１参照）。
【００５０】
本体部７１の４つの側縁部には、下方に向けて延びる側壁部７２が設けられている。これらの側壁部７２のうち、本体部７１の長手方向の側縁部から延びる一対の長尺側壁７２Ａは、カバー７０が樹脂プロテクタ３０に取り付けられた状態において、バスバー保持部３２の外側壁部３３Ｂ、および、電線収容溝４１の外側溝壁４２Ｂの内側に内嵌される（図６参照）。
【００５１】
なお、上述したバスバー保持部３２の隔壁３３Ｃのうち、外側壁部３３Ｂ側かつ上側の角部は段差状に切り欠かれており、カバー７０の長尺側壁７２Ａはこの段差部３３Ｄに載置されるように互いの寸法が設定されている（図６参照）。
【００５２】
側壁部７２のうち、自由側端部側（図１０の右側）に配される自由側壁７２Ｂは、一対の長尺側壁７２Ａを連結している（図４参照）。
【００５３】
また側壁部７２のうち、固定側端部側に配される固定側壁７２Ｃは、長尺側壁７２Ａおよび自由側壁７２Ｂよりその高さ寸法が高く設定されており、下方側に突出している（図１１参照）。
【００５４】
固定側壁７２Ｃの下方側約２／３の領域は、図１２に示すように、縦方向に延びる一対のスリット７６により、その幅方向においてほぼ三等分割されている。このうち中央に配された部分は、一対の張出部７４の間に位置する固定片７７とされており、その先端部（下端部）に、上述した樹脂プロテクタ３０の弾性係止片５５の下端縁に係止する係止爪７７Ａが外側に向けて突出して設けられている（図７および図１１参照）。なお、固定側壁７２Ｃの３つに分割された各片の下端の角部は、全て斜めに切り欠かれている。
【００５５】
また本体部７１には、その長手方向の両側縁部に、上方に向けて突出する被係止リブ８１（被係止部の一例）が設けられている。これらの一対の被係止リブ８１の上面には、上述した複数の第１カバー係止部３９および第２カバー係止部４９の各係止爪３９Ａ，４９Ａが係止される。これら一対の被係止リブ８１は、本体部７１の長手方向の側縁部全体にわたって連続的に形成されている。
【００５６】
カバー７０は、一対の長尺側壁７２Ａおよび一対の被係止リブ８１により、幅方向の断面が略Ｈ形状とされている（図６参照）。換言すると、カバー７０の上面は、その幅方向における中央部が下方（単電池群１１側）に向けて窪んだ断面凹形状とされている。
【００５７】
また、一対の張出部７４の両側縁部には、上方に向けて立ち上がる止水リブ８２が設けられている。これら止水リブ８２のうち、カバー７０の幅方向における両端部に配された一対の止水リブ８２は、上述した被係止リブ８１と一体に連なっている。
【００５８】
また、一対の張出部７４の間の連結部分の端縁部にも、本体部７１から上方に向けて立ち上がる止水リブ８２が設けられている。
【００５９】
さらに、一対の下垂部７５の両側縁部には、単電池群１１の側方（図１１および図１２の左側）に向けて立ち上がる導出リブ８３が設けられている。これらの導出リブ８３は、止水リブ８２と一体に連なっている。
【００６０】
カバー７０の固定側端部の上面（本体部７１および張出部７４）は、その周縁部が止水リブ８２により囲まれるとともに、下垂部７５に連なる領域において単電池群１１の側方（左側）に向けて開口されている（第１開口部８６とする）。
【００６１】
一方、カバー７０の長手方向の他端側（図１０の右側、自由側端部側）には、本体部７１の端縁部に沿って上方に向けて立ち上がる止水リブ８４が設けられている。この止水リブ８４は、一対の被係止リブ８１を連結するように被係止リブ８１と一体に連なっている。この止水リブ８４の中央部（カバー７０の幅方向における中央部）は一部が切り欠かれており、単電池群１１の側方（右側）に向けて開口する第２開口部８７とされている。また、第２開口部８７の両端部に連続して、カバー７０の側壁部７２（自由側壁７２Ｂ）から側方（図１０および図１１の右側）に向けて立ち上がって上下方向に延びる一対の導出リブ８５が設けられている（図４参照）。
【００６２】
すなわち、カバー７０の上面は、被係止リブ８１および止水リブ８２，８４に囲まれることにより、周縁部が高く、内側が凹状に窪んだ凹部７８とされている。またこの凹部７８は、周縁部の一部が固定側端部の第１開口部８６と自由側端部の第２開口部８７により、単電池群１１の側方に向けて開口されている。
【００６３】
なお、カバー７０の本体部７１の長さ寸法は、複数の単電池１２が最大公差で並べられて単電池群１１として最大の長さ寸法とされた場合（図８に示す状態）に、その最大の長さ寸法の単電池群１１を覆っても、バスバー保持部３２が外部に露出しない寸法に設定されている。
【００６４】
（電池モジュール１０の組立方法）
上述した本実施形態の電池モジュール１０を組み立てる際には、まず複数の連結ユニット３１、および、端部連結ユニット５１，６１を互いに連結する。具体的には、各連結ユニット３１の保持部側第１連結部３６を隣り合う連結ユニット３１の保持部側第２連結部３７および係合片３８で挟持するとともに、溝部側第１連結部４６の内側に溝部側第２連結部４７を嵌め入れ、連結させる。これにより、樹脂プロテクタ３０が完成し、電線収容溝４１が連結状態とされる。
【００６５】
次に、バスバー２１を樹脂プロテクタ３０のバスバー保持部３２内に収容する。そして、図示しない検知電線を接続した状態の電圧検知端子を、樹脂プロテクタ３０のバスバー保持部３２内の所定位置に収容して、バスバー２１に重ね合わせる。そして、バレル保持溝から導出された検知電線を電線収容溝４１内に配設する。
【００６６】
このようにして組み立てられた本実施形態の配線モジュール２０は、電極端子１３を上に向けた状態で並べられた単電池群１１の上面（電極面１２Ａ）側に取り付けられる。すなわち、電極端子１３をバスバー２１の端子貫通孔２２に挿通させつつ、配線モジュール２０を単電池群１１の上側に載置し、電極端子１３に接続用のナット（図示せず）を締めつけて、隣り合う正極および負極の電極端子１３を電気的に接続する。
【００６７】
全ての接続が完了したら、最後に、カバー７０の固定片７７を、樹脂プロテクタ３０の弾性係止片５５とこれと隣り合う隔壁３３Ｃとの間に挿入する。またこれと同時に、カバー７０全体を樹脂プロテクタ３０を覆うように上方から押圧する。
【００６８】
すると、固定片７７の係止爪７７Ａに押されて弾性係止片５５が弾性変形されるとともに、複数の第１カバー係止部３９および第２カバー係止部４９がカバー７０の縁部に押されて外側に向けて弾性変形される。これらはカバー７０が正規の位置に至ると弾性復帰し、固定片７７の係止爪７７Ａが弾性係止片５５の先端部に係止するとともに、第１カバー係止部３９および第２カバー係止部４９が被係止リブ８１に係止する。これにより、電池モジュール１０が完成する。
【００６９】
この状態においてカバー７０は、図６に示すように、バスバー保持部３２側の側壁部７２（長尺側壁７２Ａ）が隔壁３３Ｃの段差部３３Ｄに載置されるとともに、本体部７１の下面が保持壁３３および保持部側溝壁４２Ａ上に載置され、下方側から支持されている。すなわち、カバー７０は樹脂プロテクタ３０に上下方向から挟持されている。また、カバー７０はカバー固定部５２（弾性係止片５５および固定片７７）によりその一端側（固定側端部）が樹脂プロテクタ３０に固定されるとともに、他端側（自由側端部）にかけて単電池１２の並び方向に沿って移動可能に係止されている。
【００７０】
（実施形態の作用、効果）
上述した本実施形態の配線モジュール２０および電池モジュール１０によれば、樹脂プロテクタ３０の第１カバー係止部３９および第２カバー係止部４９と、カバー７０の被係止リブ８１とは、カバー７０の上面側において係止している。これにより作業者は、カバー７０と樹脂プロテクタ３０との係止状態を、単電池群１１のうち配線モジュール２０が装着されている方向（Ｙ方向）から視点を変えずに、容易に視認することができる。しかも、カバー７０の縁部に係止構造を設けているから、例えばカバー７０のうち縁部より内側の領域に係止孔を設けて係止させる構成と比較して、樹脂プロテクタ３０に水分や埃等の異物が混入することを抑制することができる。
【００７１】
また、被係止リブ８１はカバー７０の両側縁部に連続的に延びているから、カバー７０側縁部のどの位置にでも第１カバー係止部３９および第２カバー係止部４９を係止することができる。すなわち、公差吸収可能である。
【００７２】
また、樹脂プロテクタ３０およびカバー７０の一端（固定側端部）側に、樹脂プロテクタ３０とカバー７０とを固定するカバー固定部５２（弾性係止片５５および固定片７７の係止爪７７Ａ）が設けられているから、カバー７０を樹脂プロテクタ３０に対して単電池１２の並び方向に移動可能（公差吸収可能）としながら、樹脂プロテクタ３０から外れないように一部を固定することができる。
【００７３】
また、カバー７０はバスバー保持部３２を覆った状態でバスバー保持部３２側に窪んで単電池１２の並び方向に延びる凹部７８を備えており、凹部７８のうち単電池１２の並び方向における両端部の一部に単電池群１１の側方に向けて開口する第１開口部８６および第２開口部８７が設けられている。従って、カバー７０の上面に水分が付いた場合に水分は凹部７８内に溜まるから、カバー７０の側縁から樹脂プロテクタ３０の内部や単電池１２の電極面１２Ａに水分が流れ落ちることを抑制することができる。また、凹部７８に溜まった水分は、第１開口部８６および第２開口部８７から単電池群１１の側方に排出することができる。
【００７４】
しかも、第１開口部８６から排出された水分は下垂部７５を伝って下方に流れ落ち、第２開口部８７から排出された水分は側壁部７２（自由側壁７２Ｂ）を伝って下方に流れ落ちるから、カバー７０の裏側に水分が回り込んで樹脂プロテクタ３０の内部に浸入することをより確実に抑制することができる。
【００７５】
さらに、カバー７０の長手方向の長さは、樹脂プロテクタ３０の並び方向における最大長さ（単電池１２の並び公差が最大とされた場合）よりも長く設定されており、カバー７０の長手方向における両端部は、樹脂プロテクタ３０（単電池群１１）の長手方向における両端部から離れた位置に配されている。従って、カバー７０の両端部から流れ落ちる水分が樹脂プロテクタ３０の内部に浸入することをより確実に抑制することができる。
【００７６】
＜他の実施形態＞
本明細書に開示される技術は上記記述及び図面によって説明した実施形態に限定されるものではなく、例えば次のような実施形態も技術的範囲に含まれる。
【００７７】
（１）上記実施形態では、カバー７０に被係止リブ８１を設け、ここに樹脂プロテクタ３０の第１カバー係止部３９および第２カバー係止部４９を係止させる構成としたが、被係止リブ８１は必ずしも設けなくてもよい。例えば、平板状のカバーの縁部に樹脂プロテクタに設けた係止部を直接係止させる構成としてもよい。あるいは、カバーの縁部を段差状に切り欠いて、その段差部に係止部を係止させる構成としてもよい。
【００７８】
（２）上記実施形態では、被係止部（被係止リブ８１）をカバー７０の縁部に連続的に設ける構成としたが、被係止部は断続的に設けてもよい。要は、樹脂プロテクタ３０の伸縮に伴って公差吸収可能に樹脂プロテクタと係止する構成であればよい。
【００７９】
（３）樹脂プロテクタに設ける係止部は、上記実施形態に限るものではなく、例えば、カバーの縁部を上下方向から挟んだり、例えばレールのように、カバーの縁部に連続的に係止する形態としてもよい。
【００８０】
（４）上記実施形態では、樹脂プロテクタ３０を複数の連結ユニット３１を連結させることにより構成したが、ヒンジ等の他の伸縮可能な構成を有する樹脂プロテクタとしてもよい。
【００８１】
（５）上記実施形態では、カバー７０の一端側を樹脂プロテクタ３０に固定する形態としたが、必ずしも固定しなくてもよい。あるいは一端側でなく、長手方向の内側の領域で固定する構成としてもよい。また、固定構造は上記実施形態に限るものではない。
【００８２】
（６）上記実施形態では、カバー７０の上面に凹部７８を設ける構成としたが、凹部は必ずしも設けなくてもよい。また上記実施形態では、凹部７８を、一対の被係止リブ８１および止水リブ８４により構成したが、例えば、本体部７１自体を凹形状に屈曲させることにより凹部を設ける構成としてもよい。
【００８３】
（７）開口部の位置や数は、上記実施形態に限るものではない。また、上記実施形態のように開口部をカバーの両端部の一部に設けるのではなく、両端部全体を開口部としてもよい。
【００８４】
（８）下垂部７５は省略することもできる。また、下垂部７５の長さ寸法を樹脂プロテクタ３０より下方まで延びる寸法としてもよい。
【００８５】
（９）上記実施形態では、カバー７０の両端部は樹脂プロテクタ３０（単電池群１１）の両端部から離れた位置に配される構成としたが、カバーを樹脂プロテクタの少なくとも一方の端部と同位置に配される構成としてもよい。
【００８６】
（１０）上記実施形態においては、複数の単電池１２は直列に接続される構成としたが、これに限られず、複数の単電池群１１は並列に接続される構成としてもよい。
【符号の説明】
【００８７】
１０…電池モジュール（蓄電モジュール）
１１…単電池群（蓄電素子群）
１２…単電池（蓄電素子）
１２Ａ…電極面
１３…電極端子
２０…配線モジュール
２１…バスバー
３０…樹脂プロテクタ
３２…バスバー保持部（保持部）
３３…保持壁
３９…第１カバー係止部（係止部）
３９Ａ…係止爪
４１…電線収容溝
４９…第２カバー係止部（係止部）
４９Ａ…係止爪
５２…カバー固定部
５５…弾性係止片（固定部）
７０…カバー
７１…本体部
７２…側壁部
７４…張出部
７５…下垂部
７７…固定片（固定部）
７８…凹部
８１…被係止リブ（被係止部）
８２、８４…止水リブ
８３、８５…導出リブ
８６…第１開口部
８７…第２開口部
Ｘ…単電池の並び方向（蓄電素子の並び方向）
Ｙ…電極端子の突出方向
【図１】
0006508070.tif 000002
【図２】
0006508070.tif 000003
【図３】
0006508070.tif 000004
【図４】
0006508070.tif 000005
【図５】
0006508070.tif 000006
【図６】
0006508070.tif 000007
【図７】
0006508070.tif 000008
【図８】
0006508070.tif 000009
【図９】
0006508070.tif 000010
【図１０】
0006508070.tif 000011
【図１１】
0006508070.tif 000012
【図１２】
0006508070.tif 000013
【図１３】
0006508070.tif 000014